(57)【要約】【課題】薬剤を複数の突起から均等に吐出させることができる、マッサージ機能を備えたエアゾール容器用ノズルを提供する。【解決手段】薬剤が通過可能な薬剤通路３１，４１と噴出口３１ａ，４１ａとを備えた薬剤噴出突起３，４を備え、この薬剤噴出突起３，４が、中央に配位された中央側薬剤噴出突起３と、これを取り巻くように配位された周囲側薬剤噴出突起４とからなり、中央側薬剤噴出突起３における薬剤通路３１の基端部３１ｄと、薬剤が吐出されるステム部１２の吐出口１２ａとの間の距離は、周囲側薬剤噴出突起４における薬剤通路４１の基端部４１ｄとの同距離よりも小さいものであって、中央側薬剤噴出突起３における噴出口３１ａの開口面積が、周囲側薬剤噴出突起４における噴出口４１ａの開口面積よりも小さい、マッサージ機能を備えたエアゾール容器用ノズルを提供する。【選択図】          図２
2006325981.tif 000002
【特許請求の範囲】
【請求項１】
薬剤を封入したボンベ（１１）を有するエアゾール容器（１）の、ステム部（１２）に接続されたノズル（２）であり、
複数の突起を備え、
この突起が皮膚に当接可能なものであって、
この突起のうち少なくとも一部が、ステム部（１２）の先端における吐出口（１２ａ）から吐出された薬剤が通過可能な薬剤通路（３１，４１）と、この薬剤通路（３１）の先端における噴出口（３１ａ，４１ａ）とを備えた薬剤噴出突起（３，４）である、マッサージ機能を備えたエアゾール容器用ノズルにおいて、
上記の薬剤噴出突起（３，４）が、ノズル（２）上の平面視略中央に配位された中央側薬剤噴出突起（３）と、
この中央側薬剤噴出突起（３）を取り巻くようにノズル（２）上に配位された周囲側薬剤噴出突起（４）とからなるものであり、
ステム部（１２）の吐出口（１２ａ）から吐出された薬剤は、ノズル（２）の内部において、流入通路（２１）と分配通路（２２）とを経由して、上記各薬剤噴出突起（３，４）の薬剤通路（３１，４１）へと導かれるものであり、
上記の流入通路（２１）は、基端部（２１ａ）がステム部（１２）に接続されたものであり、
上記の分配通路（２２）は、流入通路（２１）の先端部（２１ｂ）と、各薬剤噴出突起（３，４）の薬剤通路（３１，４１）の基端部（３１ｄ、４１ｄ）とが接続された部分であり、
中央側薬剤噴出突起（３）における薬剤通路（３１）の基端部（３１ｄ）とステム部（１２）の吐出口（１２ａ）との間の距離は、周囲側薬剤噴出突起（４）における薬剤通路（４１）の基端部（４１ｄ）とステム部（１２）の吐出口（１２ａ）との間の距離よりも小さいものであって、
中央側薬剤噴出突起（３）における噴出口（３１ａ）の開口面積が、周囲側薬剤噴出突起（４）における噴出口（４１ａ）の開口面積よりも小さいことを特徴とする、マッサージ機能を備えたエアゾール容器用ノズル。
【請求項２】
上記の突起が上下方向を向くように配位された場合、
中央側薬剤噴出突起（３）の噴出口（３１ａ）が、いずれの周囲側薬剤噴出突起（４）の噴出口（４１ａ）よりも下方に配位されたことを特徴とする、請求項１に記載の、マッサージ機能を備えたエアゾール容器用ノズル。
【請求項３】
上記の薬剤噴出突起（３，４）のうち、少なくとも皮膚に当接する先端部分（３２，４２）が、ゴムやシリコン樹脂などの軟質樹脂によって形成されたことを特徴とする、請求項１または２に記載の、マッサージ機能を備えたエアゾール容器用ノズル。
【請求項４】
ボンベ（１１）の上方には、ノズル（２）の少なくとも一部を覆うノズルカバー（５）が設けられたものであり、
このノズルカバー（５）には、ノズル（２）の一部に対して隙間をおいて設けられ、且つ上記の突起が横方向に倒れ込むことを規制するための規制縁部（５２ａ）が設けられたものであることを特徴する、請求項１〜３のいずれかに記載の、マッサージ機能を備えたエアゾール容器用ノズル。
【請求項５】
ノズルカバー（５）は、天部（５ａ）を有すると共に下部が開放された筒状をなし、
ノズルカバー（５）の下部には、ボンベ（１１）に対して取り付けるための固定部（５１）が設けられ、
天部（５ａ）には、各薬剤噴出突起（３，４）の外径よりも一回り大きな内径の貫通穴（５２）が設けられており、この貫通穴（５２）に、隙間をおいて各薬剤噴出突起（３，４）が貫通しているものであり、少なくとも１つの貫通穴（５２）の内縁が規制縁部（５２ａ）とされたものであり、
薬剤噴出突起（３，４）のうち、規制縁部（５２ａ）に当接する薬剤噴出突起（３，４）は、規制縁部（５２ａ）に対する当接部分（３３，４３）よりも少なくとも先端側の部分が、ゴムやシリコン樹脂などの軟質樹脂によって形成されたことを特徴とする、請求項４に記載の、マッサージ機能を備えたエアゾール容器用ノズル。
【発明の詳細な説明】
【技術分野】
【０００１】
本願発明は、薬剤を噴射すると共に、突起が皮膚に当接してマッサージ効果を発揮する、マッサージ機能を備えたエアゾール容器用ノズルに関するものである。
【背景技術】
【０００２】
【特許文献１】実開昭６１−５４８３０号公報
【特許文献２】特開平１０−２９６５８号公報
【特許文献３】特開２００２−３２６６７７号公報
【０００３】
従来から、育毛剤などの薬剤を封入したボンベを有するエアゾール容器に用いられるノズルであって、頭皮などの皮膚に当接可能な複数の突起を備えたものであり、このノズルから薬剤を噴出すると共に、突起が皮膚を刺激することによって、マッサージ作用を発揮するものが知られている。例えば、特許文献１〜３に記載された発明や考案である。
【発明の開示】
【発明が解決しようとする課題】
【０００４】
薬剤は、エアゾール容器のボンベから突出するように設けられたステム部の先端における吐出口から吐出される。ここで、特許文献１や特許文献３に記載の発明・考案においては、ノズルに複数の、薬剤通路が設けられた突起を有するものである。しかし、薬剤通路の先端における噴出口の開口面積が、各突起でいずれも等しく形成されたものであったため、ステム部の吐出口に近い噴出口から、薬剤が偏って多量に噴出されてしまうものであって、塗布の効率という点で問題を有していた。
また、特許文献２に記載の発明においては、複数の突起を有するものの、噴出口が中央に存在する突起にしか設けられていなかった。
【０００５】
本願発明はこのことに鑑み、薬剤を複数の突起から均等に吐出させることができる、マッサージ機能を備えたエアゾール容器用ノズルを提供することを課題とする。
【課題を解決するための手段】
【０００６】
上記課題を解決するために、本願の請求項１に記載の発明は、薬剤を封入したボンベ１１を有するエアゾール容器１の、ステム部１２に接続されたノズル２であり、複数の突起を備え、この突起が皮膚に当接可能なものであって、この突起のうち少なくとも一部が、ステム部１２の先端における吐出口１２ａから吐出された薬剤が通過可能な薬剤通路３１，４１と、この薬剤通路３１の先端における噴出口３１ａ，４１ａとを備えた薬剤噴出突起３，４である、マッサージ機能を備えたエアゾール容器用ノズルにおいて、上記の薬剤噴出突起３，４が、ノズル２上の平面視略中央に配位された中央側薬剤噴出突起３と、この中央側薬剤噴出突起３を取り巻くようにノズル２上に配位された周囲側薬剤噴出突起４とからなるものであり、ステム部１２の吐出口１２ａから吐出された薬剤は、ノズル２の内部において、流入通路２１と分配通路２２とを経由して、上記各薬剤噴出突起３，４の薬剤通路３１，４１へと導かれるものであり、上記の流入通路２１は、基端部２１ａがステム部１２に接続されたものであり、上記の分配通路２２は、流入通路２１の先端部２１ｂと、各薬剤噴出突起３，４の薬剤通路３１，４１の基端部３１ｄ、４１ｄとが接続された部分であり、中央側薬剤噴出突起３における薬剤通路３１の基端部３１ｄとステム部１２の吐出口１２ａとの間の距離は、周囲側薬剤噴出突起４における薬剤通路４１の基端部４１ｄとステム部１２の吐出口１２ａとの間の距離よりも小さいものであって、中央側薬剤噴出突起３における噴出口３１ａの開口面積が、周囲側薬剤噴出突起４における噴出口４１ａの開口面積よりも小さいことを特徴とする、マッサージ機能を備えたエアゾール容器用ノズルを提供する。
【０００７】
また、本願の請求項２に記載の発明は、上記の突起が上下方向を向くように配位された場合、中央側薬剤噴出突起３の噴出口３１ａが、いずれの周囲側薬剤噴出突起４の噴出口４１ａよりも下方に配位されたことを特徴とする、請求項１に記載の、マッサージ機能を備えたエアゾール容器用ノズルを提供する。
【０００８】
また、本願の請求項３に記載の発明は、上記の薬剤噴出突起３，４のうち、少なくとも皮膚に当接する先端部分３２，４２が、ゴムやシリコン樹脂などの軟質樹脂によって形成されたことを特徴とする、請求項１または２に記載の、マッサージ機能を備えたエアゾール容器用ノズルを提供する。
【０００９】
また、本願の請求項４に記載の発明は、ボンベ１１の上方には、ノズル２の少なくとも一部を覆うノズルカバー５が設けられたものであり、このノズルカバー５には、ノズル２の一部に対して隙間をおいて設けられ、且つ上記の突起が横方向に倒れ込むことを規制するための規制縁部５２ａが設けられたものであることを特徴する、請求項１〜３のいずれかに記載の、マッサージ機能を備えたエアゾール容器用ノズルを提供する。
【００１０】
また、本願の請求項５に記載の発明は、ノズルカバー５は、天部５ａを有すると共に下部が開放された筒状をなし、ノズルカバー５の下部には、ボンベ１１に対して取り付けるための固定部５１が設けられ、天部５ａには、各薬剤噴出突起３，４の外径よりも一回り大きな内径の貫通穴５２が設けられており、この貫通穴５２に、隙間をおいて各薬剤噴出突起３，４が貫通しているものであり、少なくとも１つの貫通穴５２の内縁が規制縁部５２ａとされたものであり、薬剤噴出突起３，４のうち、規制縁部５２ａに当接する薬剤噴出突起３，４は、規制縁部５２ａに対する当接部分３３，４３よりも少なくとも先端側の部分が、ゴムやシリコン樹脂などの軟質樹脂によって形成されたことを特徴とする、請求項４に記載の、マッサージ機能を備えたエアゾール容器用ノズルを提供する。
【発明の効果】
【００１１】
請求項１に記載の発明にあっては、中央側薬剤噴出突起３の薬剤通路３１の基端３１ｄとステム部１２の吐出口１２ａとの間の距離は、周囲側薬剤噴出突起４の薬剤通路４１の基端４１ｄとステム部１２の吐出口１２ａとの間の距離よりも小さいものとされており、ステム部１２の吐出口１２ａに近い、中央側薬剤噴出突起３の噴出口３１ａから薬剤が偏って多量に吐出されてしまうことがなく、塗布の効率に優れた、マッサージ機能を備えたエアゾール容器用ノズルを提供することができたものである。
【００１２】
また、請求項２に記載の発明にあっては、上記の効果に加え、中央側薬剤噴出突起３の噴出口３１ａが、いずれの周囲側薬剤噴出突起４の噴出口４１ａよりも下方に配位されており、少なくとも、中央側薬剤噴出突起３の噴出口３１ａは皮膚に対して距離をおいて配位できる。よって、各薬剤噴出突起３，４の噴出口がすべて皮膚に当接することによって塞がれてしまい、薬剤が吐出しにくくなるという事態を防止できたものである。
【００１３】
また、請求項３に記載の発明にあっては、上記請求項１または２に記載の発明の効果に加え、薬剤噴出突起３，４のうち皮膚に当接する先端部分３２，４２がゴムやシリコン樹脂などの軟質樹脂によって形成されており、皮膚に対し、痛みを感じさせることなく、柔らかく当接させることができたものである。
【００１４】
また、請求項４に記載の発明にあっては、上記請求項１〜３のいずれかに記載の発明の効果に加え、ノズルカバー５に規制縁部５２ａが設けられたことにより、ノズル２が所定範囲内で横方向に倒れ込むことが規制される。よって、バルブとしてティルトバルブが用いられた場合は、比較的小さな力でバルブを開放可能であり、しかも正確な噴射を実現できる。また、バルブとしてプッシュダウンバルブが用いられた場合は、ノズル２を支障なく上下動させることができる。このことから、快適に使用することができるマッサージ機能を備えたエアゾール容器用ノズルを提供することができたものである。
【００１５】
また、請求項５に記載の発明の実施にあっては、上記請求項４の発明の効果に加え、薬剤噴出突起３，４のうち、規制縁部５２ａに当接する薬剤噴出突起３，４の、規制縁部５２ａに対する当接部分３３，４３よりも少なくとも先端側の部分が、ゴムやシリコン樹脂などの軟質樹脂によって形成されたことにより、薬剤噴出突起３，４が規制縁部５２ａに当接する際の衝撃が緩和され、快適に使用することができるマッサージ機能を備えたエアゾール容器用ノズルを提供することができたものである。
【発明を実施するための最良の形態】
【００１６】
以下、図面に基づき本願発明の実施の形態の一例をとりあげて説明する。図１は、本例のマッサージ機能を備えたエアゾール容器用ノズルをエアゾール容器に取り付けた状態を示す要部斜視図であり、図２は同状態の要部縦端面図である。図４は使用状態を示す説明図である。
【００１７】
本例の、マッサージ機能を備えたエアゾール容器用ノズル（以下、単に「ノズル」と称する）２は、育毛剤など、頭皮に作用させる薬剤を封入したボンベ１１を有するエアゾール容器１の、ステム部１２に接続されたノズルである。
本例で用いられているエアゾール容器１の構造は、現在広く知られているものと同様である。図示はしていないが、ステム部１２の基端部分には、薬剤の噴射を制御するためのバルブが設けられており、このバルブを開放することによって、ステム部１２の先端における吐出口１２ａからボンベ１１内の薬剤を吐出させることができる。
上記のバルブとしては、ティルトバルブとプッシュダウンバルブが良く用いられる。ティルトバルブは、ステム部１２をボンベ１１の側（図１、図２の状態にエアゾール容器１を配位した場合における下方側）に押し込むこと、あるいは捻る（同水平方向側）ことによって開放されるものであり、プッシュダウンバルブは、ステム部１２をボンベ１１の側に押し込むことによって開放されるものである。ここで、ティルトバルブはプッシュダウンバルブに比べ、小さな力で開放できるという利点を有するため、本例のバルブとしては、ティルトバルブが採用されている。
【００１８】
本例のノズル２は、外観が略円筒形であり、先端側端面に７つの突起が形成されている。これらの突起がエアゾール容器の使用者の皮膚、本例では頭皮に当接可能なものとされている。なお、この突起の数量は特に限定されるものではない。
また、本例では、この突起がゴムやシリコン樹脂などの軟質樹脂によって形成されており、頭皮に対し、痛みを感じさせることなく、柔らかく当接させることができる。本例では具体的に、硬質プラスチックで形成されたノズル２の基部２３が上記の軟質樹脂で覆われたものとされ、突起が形成されている。
【００１９】
そして、上記の突起のうち少なくとも一部が、ステム部１２の吐出口１２ａから吐出された薬剤が通過可能な薬剤通路３１，４１と、この薬剤通路３１，４１の先端における噴出口３１ａ，４１ａとを備えた薬剤噴出突起３，４とされる。なお、本例では、ノズル２に７つ形成された突起の全てが薬剤噴出突起３，４とされたものであるが、特許文献２または３に示されたように、薬剤通路を備えない突起を設けても良い。
【００２０】
上記の薬剤噴出突起３，４のうち、図１に示すように、ノズル２上の平面視略中央に配位されたものが中央側薬剤噴出突起３であり、この中央側薬剤噴出突起３を取り巻くようにノズル上に配位されたものが周囲側薬剤噴出突起４である。本例では、図１に示すように、中央に１本の中央側薬剤噴出突起３が設けられており、これを取り巻くように６本の周囲側薬剤噴出突起４が設けられている。なお、中央側薬剤噴出突起３を複数設けても良い。
【００２１】
ノズル２の内部には、薬剤を各薬剤噴出突起３，４に分配するために、図２に示すように、流入通路２１と分配通路２２とが設けられている。流入通路２１は、基端部２１ａがステム部１２に接続されたものであり、分配通路２２は、流入通路２１の先端部２１ｂと、各薬剤噴出突起３，４の薬剤通路の基端部３１ｄ、４１ｄとが接続された部分である。これにより、ステム部１２の吐出口１２ａから吐出された薬剤は、ノズル２の内部において、流入通路２１と分配通路２２とを経由して上記各薬剤噴出突起の薬剤通路３１，４１へと導かれる。
【００２２】
本例のノズル２は、基部２３が上部部材２３ａと下部部材２３ｂとからなっている。そして、下部部材２３ｂに流入通路２１が設けられており、上部部材２３ａに薬剤通路３１，４１が設けられており、上部部材２３ａと下部部材２３ｂとを嵌合により一体とした際に、各部材２３ａ，２３ｂの間の隙間として円盤状の分配通路２２が形成されたものとされている。ノズル２における各通路２１，２２，３１，４１の形成は、本例のものに限られるものではなく、ノズル２を一体形成し、形成の際同時に形成された空間を各通路２１，２２，３１，４１としたものであっても良い。
【００２３】
本例では、ステム部１２の吐出口１２ａの真上に中央側薬剤噴出突起３が設けられているため、中央側薬剤噴出突起３の薬剤通路３１の基端部３１ｄとステム部１２の吐出口１２ａとの間の距離は、周囲側薬剤噴出突起４の薬剤通路４１の基端部４１ｄとステム部１２の吐出口１２ａとの間の距離よりも小さい。このような位置関係にあるため、そのままでは、中央側薬剤噴出突起３と周囲側薬剤噴出突起４との間で、薬剤の噴出量にばらつきが出ることとなる。
【００２４】
そこで本例では、中央側薬剤噴出突起３における噴出口３１ａの開口面積が、周囲側薬剤噴出突起４における噴出口４１ａの開口面積よりも小さく形成されている。これによって、中央側薬剤噴出突起３の薬剤通路３１の流路抵抗を、周囲側薬剤噴出突起４の薬剤通路４１の流路抵抗よりも大きくし、中央側薬剤噴出突起３からの薬剤の吐出を抑えつつ、周囲側薬剤噴出突起４に薬剤を誘導するものとし、各薬剤噴出突起３，４から略均等に薬剤を噴出させることができるようにされている。
また、本例では、図２に示すように、薬剤通路３１，４１が基端側から先端側に向かう途中で、段差を有するものとされており、下側通路３１ｃ，４１ｃに比べて上側通路３１ｂ，３１ｂが絞られたものとされているが、中央側薬剤噴出突起３における上記の各通路３１ｃ，３１ｂの内径の方が、周囲側薬剤噴出突起４の各通路４１ｃ，４１ｂの内径よりも小さく形成されている。
なお、例えば、各薬剤通路３１，４１の内径を等しく形成しておき、噴出口３１ａのみを、開口面積が周囲側薬剤噴出突起４における噴出口４１ａの開口面積よりも小さくなるように形成しても良く、種々の形態での実施が可能である。
【００２５】
また、本例では、図２に示すように、中央側薬剤噴出突起３の、ノズル２からの立ち上げ高さＨ３の方が、周囲側薬剤噴出突起４の同高さＨ４よりも低く形成されている。つまり、図１及び図２に示すように、薬剤噴出突起３，４が上下方向を向くように配位された場合、中央側薬剤噴出突起３の噴出口３１ａが、いずれの周囲側薬剤噴出突起４の噴出口４１ａよりも下方に位置する。
これによって、各薬剤噴出突起３，４の噴出口３１ａ，４１ａが全て頭皮Ｓによって塞がれてしまうことなく、図４に示すように、最小限、中央側薬剤噴出突起３の噴出口３１ａは開放されており、薬剤が吐出しにくくなるという事態を防止することができる。
なお、図３に示すように、中央側薬剤噴出突起３の高さを周囲側薬剤噴出突起４と同じとし、中央側薬剤噴出突起３の先端にスリット３１ｅを形成して、この中央側薬剤噴出突起３においては、先端が頭皮Ｓに当接した場合でも、このスリット３１ｅを通り、横方向に薬剤を噴出できるものとしても良い。その他、各薬剤噴出突起３，４の全てが頭皮Ｓに当接し、薬剤の噴出が困難になることを避けることができる種々の構造での実施が可能である。
【００２６】
通常のエアゾール容器１において、ボンベ１１の上端におけるステム部１２の周囲には、鋼板などのボンベ１１を構成する材料が巻き締められたステム縁部１３が形成されている。一方、本例におけるノズル２は、各薬剤噴出突起３，４の先端付近が露出する状態で、ノズルカバー５に覆われている。
このノズルカバー５は、天部５ａを有すると共に下部が開放された筒状をなし、下部には、ステム縁部１３の外縁１３ｂに対して嵌合する、固定部５１を備えたものであって、これにより、ノズルカバー５がボンベ１１の上端に固定される。また、天部５ａには、各薬剤噴出突起３，４の外径よりも一回り大きな内径の貫通穴５２が設けられており、この貫通穴５２に、隙間をおいて各薬剤噴出突起３，４が貫通している。この貫通穴５２の内縁が規制縁部５２ａであり、後述するように、ノズル２が横方向に倒れ込むことを規制する作用を果たす。ここで、本例では７つの貫通穴５２の内縁がすべて、上記の作用を果たす規制縁部５２ａとされているが、少なくとも１つの貫通穴５２の内縁が規制縁部５２ａとされていれば良い。
【００２７】
ここで、少なくとも１つの薬剤噴出突起３，４の側面が規制縁部５２ａに当接することにより、ノズル２の倒れ込みが規制されるが、この薬剤噴出突起３，４のうち、規制縁部５２ａに当接する薬剤噴出突起３，４は、規制縁部５２ａに対する当接部分３３，４３よりも少なくとも先端側の部分が、ゴムやシリコン樹脂などの軟質樹脂によって形成されたものとすることが望ましい。これにより、薬剤噴出突起３，４が規制縁部５２ａに当接する際の衝撃が緩和され、より快適にエアゾール容器１を使用することができる。
【００２８】
本例においてはバルブとしてティルトバルブが用いられている。ティルトバルブは、既に説明したように、ステムをボンベ１１側（図１、図２の状態にエアゾール容器を配位した場合における下方側）に押し込むこと、あるいは捻る（同水平方向側）ことによって開放されて薬剤の噴射がなされるものである。
ティルトバルブはプッシュダウンバルブに比べ、小さな力で開放でき、軽快に操作できるという利点を有するが、上記のように捻る方向にも可動であるため、使用状況によっては、腰が折れたようになり、薬剤の噴射方向が定まらないなどの問題が生じる恐れがある。よって、快適にエアゾール容器１を使用するためには、ノズル２を所定範囲内で、横方向に倒れ込むことを規制する必要がある。
本例では、上記の規制縁部５２ａによってこの規制がなされており、規制縁部５２ａと薬剤噴出突起３，４との隙間が０．５mm〜２．０mm、より望ましくは０．５mm〜１．０mmとされている。なお、本例のノズル２は、ステム縁部１３の内縁１３ａに対し、隙間をおいて配位されたものであり、支障なく上下動可能とされているが、ティルトバルブが用いられる場合、ノズル２とステム縁部１３の内縁１３ａとの間の隙間も、上記と同様、０．５mm〜２．０mm、より望ましくは０．５mm〜１．０mmとされている。このノズル２の倒れ込みに対しては、上側である、規制縁部５２ａと薬剤噴出突起３，４との隙間の方が、下側のノズル２とステム縁部１３の内縁１３ａとの間の隙間よりも有効に作用する。
【００２９】
その他に、バルブとしてプッシュダウンバルブが用いられる場合があるが、この場合は、上記ティルトバルブのような、自然なバルブの倒れ込みは考慮する必要がない。しかし、このプッシュダウンバルブにあっても、バルブの倒れ込みにより、噴射ができなくなる場合があり、この点から、ノズル２を所定範囲内で、横方向に倒れ込むことを規制することが望ましい。この場合に設ける隙間は、ノズル２の上下動の支障にならない程度とし、具体的には、規制縁部と薬剤噴出突起との隙間、そして、ノズルとステム縁部の内縁との間の隙間のいずれも０．１mm〜１．０mm、より望ましくは０．１〜０．２mmとされる。
【００３０】
更に、本例のエアゾール容器では、ノズルカバー５に着脱可能に嵌合するものであって、ノズル２の全体を覆うことのできるキャップ６が設けられており、保管時に、薬剤噴出突起３，４にほこりなどが付着しにくいようにされている。
【００３１】
次に、本例のノズル２を備えたエアゾール容器１の使用方法について述べる。
まず、図１に示すように、キャップ６を取り外し、各薬剤噴出突起３，４が露出した状態とする。そして、図４に示すように、各薬剤噴出突起３，４を頭皮Ｓに押し付ける。すると、ステム１２の基端部分に設けられたバルブが開放され、ボンベ１１に封入されていた薬剤が、ステム１２の吐出口１２ａから吐出される。本例ではバルブとしてティルトバルブが用いられているため、必要とされる上記の押し付け力は比較的小さくて良い。この吐出口１２ａから吐出された薬剤は、ノズル２の内部において、流入通路２１と分配通路２２とを経由して上記各薬剤噴出突起３，４の薬剤通路３１，４１へと導かれる。そして、各薬剤噴出突起３，４の噴出口３１ａ，４１ａから噴出して頭皮Ｓに散布される。なお、バルブにはばねが内蔵されており、各薬剤噴出突起３，４の頭皮への押し付けを止めると、ばねによってバルブが元の位置に復帰して閉鎖され、薬剤の噴出も止まる。
【００３２】
このようにして、押さえつけられた各薬剤噴出突起３，４が頭皮Ｓを刺激し、マッサージ効果をもたらす。上記のように、中央側薬剤噴出突起３における噴出口３１ａの開口面積が、周囲側薬剤噴出突起４における噴出口４１ａの開口面積よりも小さく形成されており、これにより、均等に薬剤を噴出させることができるため、効率良く薬剤の散布をすることができる。
また、少ない噴出回数により、頭皮Ｓのうちで薬剤散布を必要とする部分に薬剤を有効に行き渡らせることができるため、薬剤の消費量を抑えることができる。
また、上記のように、中央側薬剤噴出突起３が、周囲側薬剤噴出突起４よりも低い位置に存在するため、各薬剤噴出突起３，４の噴出口がすべて頭皮Ｓによって塞がれてしまい、薬剤が吐出しにくくなるという事態も防止できる。
【００３３】
なお、本願発明のノズル２の用途は、本例のような頭皮用に限られるものではない。例えば消炎剤、スキンローション、リラクゼーションオイルなど、エアゾール容器１に封入可能なものであって、頭皮以外の皮膚に用いる種々の薬剤を用いて良く、幅広い用途に適用が可能である。
【図面の簡単な説明】
【００３４】
【図１】本例のマッサージ機能を備えたエアゾール容器用ノズルをエアゾール容器に取り付けた状態を示す要部斜視図である。
【図２】本例のマッサージ機能を備えたエアゾール容器用ノズルをエアゾール容器に取り付けた状態を示す要部縦端面図である。
【図３】本願発明に係る他の例のマッサージ機能を備えたエアゾール容器用ノズルをエアゾール容器に取り付けた状態を示す要部縦端面図である。
【図４】本例のマッサージ機能を備えたエアゾール容器用ノズルの使用状態を示す説明図である。
【符号の説明】
【００３５】
１          エアゾール容器
１１        ボンベ
１２        ステム部
１２ａ      ステム部の吐出口
２          ノズル
２１        流入通路
２１ａ      流入通路の基端部
２１ｂ      流入通路の先端部
２２        分配通路
３          中央側薬剤噴出突起
３１        薬剤通路（中央側薬剤噴出突起）
３１ａ      噴出口（中央側薬剤噴出突起）
３１ｄ      薬剤通路の基端部（中央側薬剤噴出突起）
３２        中央側薬剤噴出突起の先端部分
３３        中央側薬剤噴出突起の規制縁部に対する当接部分
４          周囲側薬剤噴出突起
４１        薬剤通路（周囲側薬剤噴出突起）
４１ａ      噴出口（周囲側薬剤噴出突起）
４１ｄ      薬剤通路の基端部（周囲側薬剤噴出突起）
４２        周囲側薬剤噴出突起の先端部分
４３        周囲側薬剤噴出突起の規制縁部に対する当接部分
５          ノズルカバー
５ａ        ノズルカバーの天部
５１        ノズルカバーの固定部
５２        貫通穴
５２ａ      規制縁部
【図１】
2006325981.tif 000003
【図２】
2006325981.tif 000004
【図３】
2006325981.tif 000005
【図４】
2006325981.tif 000006